(57)【要約】【課題】  アドレスデータの読取り処理を従来に比べて容易にできるようにする。【解決手段】  情報記録装置１は、セクター単位のユーザーデータにセクターアドレスを付加し、２値データであるこれらのデータを多値データに変換して、セクターアドレスを検出するための多値データであるアドレス検出用データを付加するように、光ディスクＤに対してデータ記録を行なう。【選択図】    図１４
2005259306.tif 000002
【特許請求の範囲】
【請求項１】
情報記録媒体に情報データを記録する情報記録方法において、
所定量単位の前記情報データにアドレスデータを付加し、
２値データである当該データを多値データに変換して、
前記アドレスデータを検出するための多値データを付加するように、
前記情報データの記録を行なう、ことを特徴とする情報記録方法。
【請求項２】
前記アドレスデータの付加は、複数の前記所定量単位の情報データに１個の前記アドレスデータを付加して行なう、ことを特徴とする請求項１に記載の情報記録方法。
【請求項３】
前記アドレスデータを検出するための多値データの多値数が他の多値データの多値数よりも少ない、ことを特徴とする請求項１又は２に記載の情報記録方法。
【請求項４】
アドレスデータを検出するための多値データの記録密度が他の多値データの記録密度よりも少ない、ことを特徴とする請求項１〜３のいずれかの一に記載の情報記録方法。
【請求項５】
情報記録媒体に情報データを記録する情報記録装置において、
所定量単位の前記情報データにアドレスデータを付加し、
２値データである当該データを多値データに変換して、
前記アドレスデータを検出するための多値データを付加するように、
前記情報データの記録を行なう、ことを特徴とする情報記録装置。
【請求項６】
前記アドレスデータの付加は、複数の前記所定量単位の情報データに１個の前記アドレスデータを付加して行なう、ことを特徴とする請求項５に記載の情報記録装置。
【請求項７】
前記アドレスデータを検出するための多値データの多値数が他の多値データの多値数よりも少ない、ことを特徴とする請求項５又は６に記載の情報記録装置。
【請求項８】
アドレスデータを検出するための多値データの記録密度が他の多値データの記録密度よりも少ない、ことを特徴とする請求項５〜７のいずれかの一に記載の情報記録装置。
【請求項９】
情報データが記録された情報記録媒体において、
所定量単位の前記情報データにアドレスデータを付加し、
２値データである当該データを多値データに変換して、
前記アドレスデータを検出するための多値データを付加するように、
前記情報データの記録がされている、ことを特徴とする情報記録媒体。
【請求項１０】
前記アドレスデータの付加は、複数の前記所定量単位の情報データに１個の前記アドレスデータを付加して行なわれている、ことを特徴とする請求項９に記載の情報記録媒体。
【請求項１１】
前記アドレスデータを検出するための多値データの多値数が他の多値データの多値数よりも少ない、ことを特徴とする請求項９又は１０に記載の情報記録媒体。
【請求項１２】
アドレスデータを検出するための多値データの記録密度が他の多値データの記録密度よりも少ない、ことを特徴とする請求項９〜１１のいずれかの一に記載の情報記録媒体。
【発明の詳細な説明】
【技術分野】
【０００１】
本発明は、光などにより情報を記録する情報記録方法、情報記録装置、及び情報記録媒体に関する。
【背景技術】
【０００２】
特許文献１には、主データとセクターアドレスとからなるデータブロックに同期信号を付加する時に、セクターアドレスの先頭か否かを識別するために、異なる信号パターンの同期信号を付加する技術が開示されている。
【０００３】
【特許文献１】特許第２８８２３０２号公報
【発明の開示】
【発明が解決しようとする課題】
【０００４】
光ディスクなどの情報記録媒体に情報記録を行なうときには、同期信号のパターンが複数あるため、同期信号の検出が複雑化する場合があるという不具合がある。特に、同期信号は情報記録媒体のアドレスを読取る目的以外に、データに同期したクロックを生成するためのＰＬＬ（Phase Locked Loop）回路で検出する必要があるため、同期信号は同一パターンであることが望ましい。
【０００５】
また、特許文献１（特に図５、図６を参照）に示された技術では、セクターアドレスが１セクター内に複数回多重書きされており、冗長度の大きいデータ構成になっているという不具合もある。
【０００６】
本発明の目的は、アドレスデータの読取り処理を従来に比べて容易にできるようにすることである。
【課題を解決するための手段】
【０００７】
本発明は、情報記録媒体に情報データを記録する情報記録方法において、所定量単位の前記情報データにアドレスデータを付加し、２値データである当該データを多値データに変換して、前記アドレスデータを検出するための多値データを付加するように、前記情報データの記録を行なう、ことを特徴とする情報記録方法である。
【０００８】
別の面から見た本発明は、情報記録媒体に情報データを記録する情報記録装置において、所定量単位の前記情報データにアドレスデータを付加し、２値データである当該データを多値データに変換して、前記アドレスデータを検出するための多値データを付加するように、前記情報データの記録を行なう、ことを特徴とする情報記録装置である。
【０００９】
別の面から見た本発明は、情報データが記録された情報記録媒体において、所定量単位の前記情報データにアドレスデータを付加し、２値データである当該データを多値データに変換して、前記アドレスデータを検出するための多値データを付加するように、前記情報データの記録がされている、ことを特徴とする情報記録媒体である。
【発明の効果】
【００１０】
セクター単位など所定量単位の情報データとセクターアドレスなどのアドレスデータからなる２値データを多値データに変換し、アドレスデータを検出するための多値データを付加しているので、アドレスデータの読取り処理を容易にできる。
【発明を実施するための最良の形態】
【００１１】
発明を実施するための最良の一形態について説明する。
【００１２】
以下では、まず本発明の実施の形態である情報記録方法について説明する。
【００１３】
この情報記録方法は、光ディスクなどの情報記録媒体に情報の記録を行なう方法である。以下では、具体的に光ディスクへの記録を念頭において説明する。図１は、２ＫＢ（＝２０４８バイト）のユーザーデータやそのアドレス等からなるセクターのデータ構成を示す。図２には、セクターに含まれるデータの種類とそのバイト数を示す。ディスク識別（ＩＤ：Identification Data）データは、情報記録媒体である光ディスクが読出し専用か書換可能か、データの記録層が１層か多層か等の光ディスクを識別する情報データである。セクターアドレスは２ＫＢ毎のユーザーデータに割当てられたディスク上のアドレスデータである。アドレスＥＣＣ（Error Correction Code）は、４バイトのアドレスデータに付加する誤り訂正用のデータである。アドレスＥＣＣデータは、８ビットを１ワードとし、ディスク識別データとセクターアドレスデータとを使って、リードソロモン符号ＲＳ（９,５,５）を用いて生成する。
【００１４】
付加情報は、今後の拡張性及びユーザー情報、生産者情報、著作権保護などのユーザーデータに対する付加情報を示すデータである。ユーザーデータは、２ＫＢの画像データや音声データ、コンピュータソフト等のコンテンツを構成するデータである。ＥＤＣ（Error Detection Code）は、１セクター内のＩＤ、セクターアドレス、アドレスＥＣＣ、付加情報、ユーザーデータに対して付加される誤り検出用データである。以上の２０７９バイトをここではセクターデータと呼ぶ。
【００１５】
図１に示すように、セクターデータは６９３バイト×３行で構成される。１行のビット数は、“６９３バイト×８ビット＝５５４４ビット＝１１ビット×５０４ワード”から５５４４ビットであり、１１ビットを１ワードとすると、５０４ワードになる。
【００１６】
１１ビットの２値データを４個の８値データに変調して、光ディスクに多値記録を行っている。従って、セクターデータの１行分が１１ビットからなるワードデータで構成されていると、多値データへの変換に都合が良い。
【００１７】
図３に、６４セクターのデータに対して、誤り訂正用のデータを付加したデータ構成（ＥＣＣブロック）を示す。まず、図３の縦方向に外符号パリティ（ＰＯ）を付加する。ＰＯは、リードソロモン符号ＲＳ（２０８，１９２,１７）を用いて生成する。その後、図３の横方向に内符号パリティ（ＰＩ）を付加する。ＰＩは、リードソロモン符号ＲＳ（５３０，５０４,２７）を用いて生成する。
【００１８】
図４に、ＰＯの行をインターリーブした結果を示す。１６行のＰＯ（各行に含まれるＰＩも含む）を４セクター（１２行）毎に１行挿入する。これにより、セクターアドレスを含む行が３行又は４行毎に存在し、データをアクセスする時のアドレスの読取り効率が向上する。光ディスク等の情報記録媒体へのデータの記録再生は、図中に示すように横方向に順次記録再生する。
【００１９】
図５に、図４に示したデータブロック（５３０ワード×２０８行）を多値データに変換し、光ディスクに記録する時のデータ構成の一例を示す。これは、１行分のデータを記録する時のデータ構成である。すなわち、１１ビット（１ワード）の２値データを４個の８値データ（０から７の値をとる）に変調して記録する。以後、１個の多値データを１シンボルと呼ぶ。変調後の多値データに対して、以下のクロックマークと同期信号及びアドレス検出用データを挿入して記録する。
【００２０】
クロックマーク ＝ 「００７００」
同期信号       ＝ 「０００７７７７」
ここで、
アドレス検出用データ  ＝  「０」：セクターデータの１行目（セクターアドレスデータあり）
「３」：セクターデータの２行目
「５」：セクターデータの３行目
「７」：ＰＯデータ行
である。
【００２１】
同期信号は、図４に示したデータブロック（５３０ワード×２０８行）の1行毎の区切りを検出するための信号である。クロックマークは、多値データに同期したクロック信号を生成するための信号である。アドレス検出用データは、その１行分のデータが３行のセクターデータのどの行か、或いはＰＯデータ行であるかを検出するためのデータである。
【００２２】
５３０ワードの２値データを１ワード（１１ビット）毎に４シンボルの８値データに変調するので、変調後の多値データのシンボル数は、“５３０ワード×４シンボル＝２１２０シンボル”で示される。
【００２３】
これに、同期信号とアドレス検出用データを挿入するので、全多値データのシンボル数は、“２１２０シンボル＋８シンボル＝２１２８シンボル”で示される。
【００２４】
この多値データ系列に、１１２シンボル毎にクロックマーク（５シンボルの多値データ）を挿入すると、図５に示すデータ構成になる。これを１フレームと呼ぶ。図４に示したデータブロック（５３０ワード×２０８行）は、２０８フレームになる。１フレームにおいて、クロックマークから始まる１１７シンボルの１行分のデータをクラスタと呼ぶ。光ディスク等の情報記録媒体へのデータの記録再生は、図中に示すように横方向に順次記録再生する。
【００２５】
光ディスク上のデータをアクセスする時は、セクターアドレスを読取って、図４に示したデータブロックを検出する必要がある。まず、同期信号を検出して、１行分のデータの区切りを検出する。次に、検出した同期信号からクロックマークを検出し、ＰＬＬ（Phase Locked Loop）回路で多値データ「７」に同期したクロック信号を生成する。
【００２６】
その後、アドレス検出用データを読取って、その値が「０」である場合は、その行のセクターアドレスを読取る。このセクターアドレスは、多値データを判定し、２値データに変換した後、アドレスＥＣＣによって誤り訂正を行った後のセクターアドレスデータである。アドレス検出用データが「３」、「５」、「７」である場合は、その出現状況から「０」が出現する時を予測できるので、読取りエラーがあった場合の補間を行える。
【００２７】
このように、本情報記録方法では、情報記録媒体である光ディスクに情報データとしてセクター単位のユーザーデータを記録するときに、ユーザーデータにアドレスデータであるセクターアドレスを付加し、２値データであるこのデータを多値データに変換して、セクターアドレスデータを検出するための多値データであるアドレス検出用データを付加するように、情報の記録を行なうので、アドレス検出用データによって、セクターアドレスの読取り処理を容易に行える。また、アドレス検出用データは、多値データであり、ここでは８値のデータであるが、「０」、「３」、「５」、「７」の４種類を使用した４値記録であるため、読取り時の誤り確率が低く、アドレスデータの検出の信頼性を高くできる。
【００２８】
図６に前述の情報記録方法の変形例を示す。ここでは、図５における同期信号とアドレス検出用データを以下のように変更した。
【００２９】
同期信号              ＝「００７７７７」
アドレス検出用データ  ＝「００」：セクターデータの１行目（セクターアドレスデータあり）
ここで、
「３３」：セクターデータの２行目
「５５」：セクターデータの３行目
「７７」：ＰＯデータ行
である。
【００３０】
この場合は、アドレス検出用データを２シンボル連続で同じ値にして、記録密度を少なくしているので、読取り時の誤り確率を低くでき、アドレスデータの検出の信頼性を高くできる。
【００３１】
次に、別の実施の形態について説明する。
【００３２】
本実施の形態の情報記録方法は、光ディスクなどの情報記録媒体に情報の記録を行なう方法である。以下では、具体的に光ディスクへの記録を念頭において説明する。図７に、２ＫＢ（＝２０４８バイト）単位のユーザーデータを含むセクターデータとセクター単位のアドレスを示すアドレス情報のデータの種類とその量を示す。セクターデータは、ユーザーデータ、付加情報、ＥＤＣからなる。アドレス情報は、ディスク識別（ＩＤ）データ、セクターアドレス、アドレスＥＣＣからなる。ここでは、４セクター単位にアドレス情報を付加するので、４セクターを代表するアドレスとして、４の整数倍のセクターアドレスをアドレス情報とする。第２の実施例でのＥＤＣは、付加情報、ユーザーデータに対して付加される誤り検出用データである。
【００３３】
図８にアドレス情報のデータ構成を示す。アドレス情報は１バイト×９行（＝７２ビット）で構成するが、図の右に示すように６ビット×１２行（＝７２ビット）のデータ構成に変形する。
【００３４】
図９にセクターデータのデータ構成を示す。１セクター分のデータは、１０バイト×２０６行で構成する。各データは図の縦方向に順に配置する。
【００３５】
図１０に、６４セクターのデータに対して、誤り訂正用のデータを付加したデータ構成（ＥＣＣブロック）を示す。まず、図の縦方向に外符号パリティ（ＰＯ）を付加する。ＰＯは、リードソロモン符号ＲＳ（２１８，２０６,１３）を用いて生成する。その後、図の横方向に内符号パリティ（ＰＩ）を付加する。ＰＩは、リードソロモン符号ＲＳ（４７６，４６６,１１）を用いて生成する。このデータ構成では、横１行分のデータ量は、“６ビット＋１０バイト（８０ビット）×６４セクター＋１０ワード（１１０ビット）＝５２３６ビット＝１１ビット×４７６ワード”である。ここでも、１ワードは１１ビットである。
【００３６】
アドレス情報は１２行で１まとまりになっている。４セクター単位に１個のアドレス情報があるので、６４セクターのデータに対しては、１６個のアドレス情報が１ＥＣＣブロックに存在する。これを２０６行に均等に配置するために、変則的に６ビットの無効データ（００００００）を挿入している。挿入する無効データの個数は、“２０６−１２×１６＝１４”で示される。
【００３７】
一例として、１４個の無効データは２０６行（第０行〜第２０５行）の内の、“１２、２５、３８、５１、７６、８９、１０２、１１５、１２８、１４１、１５４、１７９、１９２、２０５”の各行に配置する。
【００３８】
図１１に、ＰＯデータ行をインターリーブした結果を示す。１２行のＰＯデータ行（各行に含まれるＰＩも含む）を２１８行内にほぼ均等に配置するために、やや変則的なインターリーブになる。ＰＯデータ行を配置する行番号（第０行〜第２１７行）の一例は、“１７、３５、５４、７２、９０、１０８、１２６、１４４、１６３、１８１、１９９、２１７”のようになる。
【００３９】
これにより、アドレス情報を含まない行が分散され、データをアクセスする時のアドレスの読取り効率が向上する。
【００４０】
図１２に、図１１に示したデータブロック（４７６ワード×２１８行）を多値データに変換し、光ディスクに記録する時のデータ構成の一例を示す。これは、１行分のデータを記録する時のデータ構成である。図１１に示したデータブロックの１行分のデータの記録再生は、図１１に示すように横方向に記録再生する。１１ビット（１ワード）のデータを１単位として、４個の８値データに変調して、光ディスクに多値記録する。変調後の多値データに対して、以下のクロックマークと同期信号及びアドレス検出用データを挿入して記録する。
【００４１】
クロックマーク ＝ 「００７００」
同期信号       ＝ 「００００００７７７７７７７」
但し、
アドレス検出用データ  ＝  「００」：アドレス情報の１行目
「０３」：アドレス情報の２行目
「０５」：アドレス情報の３行目
「０７」：アドレス情報の４行目
「３０」：アドレス情報の５行目
「３３」：アドレス情報の６行目
「３５」：アドレス情報の７行目
「３７」：アドレス情報の８行目
「５０」：アドレス情報の９行目
「５３」：アドレス情報の10行目
「５５」：アドレス情報の11行目
「５７」：アドレス情報の12行目
「７０」：アドレス情報の無効データ行
「７３」：不使用
「７５」：不使用
「７７」：ＰＯデータ行
である。
【００４２】
同期信号とクロックマークは、前述した情報記録方法と同じ目的で挿入する。アドレス検出用データは、その１行分のデータがアドレス情報を含む１２行のどの行か、アドレス情報の無効データを含む行か、或いはＰＯデータ行であるかを検出するためのデータである。
【００４３】
４７６ワードの２値データを１ワード（11ビット）毎に４シンボルの８値データに変調するので、変調後の多値データのシンボル数は、“４７６ワード×４シンボル＝１９０４シンボル”で示される。
【００４４】
これに、同期信号とアドレス検出用データを挿入するので、全多値データのシンボル数は、“１９０４シンボル＋１５シンボル＝１９１９シンボル”で示される。
【００４５】
この多値データ系列に、１０１シンボル毎にクロックマーク（５シンボルの多値データ）を挿入すると、図１２に示すデータ構成になる。これを１フレームと呼ぶ。図１１に示したデータブロック（４７６ワード×２１８行）は、２１８フレームになる。１フレームにおいて、クロックマークから始まる１０６シンボルの１行分のデータをクラスタと呼ぶ。光ディスク等の情報記録媒体へのデータの記録再生は、図中に示すように横方向に順次記録再生する。
【００４６】
光ディスク上のデータをアクセスする時は、セクターアドレスを読取って、図１１に示したデータブロックを検出する必要がある。前述の最初の実施の形態の情報記録方法と同様に、まず同期信号を検出して、１行分のデータの区切りを検出する。次に、検出した同期信号からクロックマークを検出し、ＰＬＬ回路で多値データ「７」に同期したクロック信号を生成する。
【００４７】
その後、アドレス検出用データを読取って、その値がアドレス情報の１２行のいずれかを示す場合は、アドレス情報の６ビットを保存し、１２行分のアドレス情報（７２ビット）を蓄積する。このアドレス情報は、多値データを判定し、２値データに変換したデータである。その後、図８に示すように、６ビット×１２行のデータを８ビット×９行に変換し、アドレスＥＣＣデータを使用して、誤り訂正を行う。その後、セクターアドレスを読取る。アドレス検出用データによって、アドレス情報の１２行と無効データ行及びＰＯデータ行を検出できるので、その出現状況からアドレス情報の１２行が出現する時を予測できるので、読取りエラーがあった場合の補間を行える。
【００４８】
このように、本情報記録方法では、情報記録媒体である光ディスクに情報データとしてセクター単位のユーザーデータを記録するときに、ユーザーデータにアドレスデータであるセクターアドレスを付加し、２値データであるこのデータを多値データに変換して、セクターアドレスデータを検出するための多値データであるアドレス検出用データを付加するように、情報の記録を行なうので、アドレス検出用データによって、セクターアドレスの読取り処理を容易に行える。また、アドレス検出用データは、多値データであり、ここでは８値のデータであるが、「０」、「３」、「５」、「７」の４種類を使用した４値記録であるため、読取り時の誤り確率が低く、アドレスデータの検出の信頼性を高くできる。更に、本情報記録方法では、４セクター単位に１個のアドレス情報を付加しているので、データ構成の冗長度を低くできる。
【００４９】
図１３に本情報記録方法の変形例を示す。ここでは、図１２における同期信号とアドレス検出用データを以下のように変更した。
【００５０】
すなわち、
同期信号              ＝  「０００００７７７７７７」
アドレス検出用データ  ＝  「００００」：アドレス情報の１行目
「００３３」：アドレス情報の２行目
「００５５」：アドレス情報の３行目
「００７７」：アドレス情報の４行目
「３３００」：アドレス情報の５行目
「３３３３」：アドレス情報の６行目
「３３５５」：アドレス情報の７行目
「３３７７」：アドレス情報の８行目
「５５００」：アドレス情報の９行目
「５５３３」：アドレス情報の10行目
「５５５５」：アドレス情報の11行目
「５５７７」：アドレス情報の12行目
「７７００」：アドレス情報の無効データ行
「７７３３」：不使用
「７７５５」：不使用
「７７７７」：ＰＯデータ行
である。
【００５１】
さらに、アドレス検出用データを２シンボル連続で同じ値にして、記録密度を少なくしているので、読取り時の誤り確率を低くでき、アドレスデータの検出の信頼性を高くできる。
【００５２】
別の実施の形態について説明する。
【００５３】
この実施の形態は、前述の各情報記録方法を実施する情報記録装置である。図１１は、この情報記録装置１の概略構成を示すブロック図であり、この情報記録装置１は、具体的には情報記録媒体である光ディスクＤに情報の記録を行なう装置である。
【００５４】
図１１において、光ディスクＤは、例えば、らせん状又は同心円状のトラックが形成され、トラックに沿ってマークを記録することができる。トラックは、一定の周期でわずかに蛇行している。
【００５５】
モーター２は、ディスクＤを回転駆動させる。光ヘッド３は、レーザー光スポットＬを照射して光ディスクＤにマークを記録し、記録されたマークをレーザー光スポットＬで走査して電気信号を出力する。
【００５６】
演算増幅回路４は、光ヘッド３から出力された電気信号を演算増幅し、光ディスクＤ上のマークに対応した再生信号や、レーザー光スポットＬが光ディスクＤの記録面に焦点が合っているかを示すフォーカスエラー信号や、レーザー光スポットＬがトラックに沿って走査しているかを示すトラッキングエラー信号や、トラックの蛇行に対応した信号等を出力する。
【００５７】
サーボ回路５は、フォーカスエラー信号や、トラッキングエラー信号、トラックの蛇行に対応した信号により、レーザー光スポットＬを光ディスクＤの記録面に焦点を合わせ、正しくトラックを走査させ、光ディスクＤを線速度一定又は、角速度一定に回転させる。
【００５８】
レーザー駆動回路６は、変調回路７から出力された信号に従って、レーザー光スポットＬで光ディスクＤにマークを記録するための信号を出力する。
【００５９】
変調回路７は、入力した多値データに対応した大きさのマークとスペース（多値データ=０：マークを記録しない）を示す信号を出力する。同期信号付加回路８は、１行毎のデータに同期信号を挿入する。多値化回路９は、入力した２値データ（１１ビット）を多値データ（４シンボルの８値データ）に変換する。
【００６０】
誤り訂正用データ付加回路１０は、入力データに対し、誤り訂正を行なうためのデータを付加する。つまり、前述した情報記録方法により、データ処理を行う。
【００６１】
Ａ／Ｄ変換回路１１は、演算増幅回路４からの再生信号をデジタル信号に変換する。ＰＬＬ（Phase Locked Loop）および同期検出回路１２は、再生信号中の同期信号を検出し、多値データに同期したクロック信号を出力する。波形等化回路１３は、波形等化を行う。多値判定回路１４は、多値データを判定する。
【００６２】
アドレス検出用データ検出回路１５は、アドレス検出用データを検出し、セクターアドレスやアドレス情報が存在する行データであることを示す信号を出力する。多値２値変換回路１６は、多値判定回路１４で判定した多値データを２値データに変換する。セクターアドレス検出回路１７は、セクターアドレスやアドレス情報が存在する行データのアドレスに関するデータを蓄積し、アドレスＥＣＣデータによる誤り訂正を行い、セクターアドレスを読取り、さらに、ＥＣＣブロックを検出する。誤り訂正回路１８は、誤り訂正用データを用いて、誤り訂正を行なう。
【００６３】
なお、図示しないが、光ヘッド３を光ディスクＤの半径方向に移動させ、光ディスクＤ上のデータをサーチする機構も設けられている。更に、パソコンなどのコンピュータ用の情報記憶装置として使用するためのインターフェース回路や、光ディスク装置全体の動作制御を行うマイクロプロセッサ等は図示を省略した。光ディスクＤとしてはＤＶＤ＋ＲＷを使用し、光ヘッド３にはレーザー光の波長が６５０ｎｍであるレーザーダイオードなどを使用する。また、より高密度記録ができる青レーザーとそのレーザー波長（例えば、４０５ｎｍ）に対応した相変化型の光ディスクＤを使用しても良い。
【００６４】
以下に、情報記録装置１の動作を説明する。先ず、２値データを多値化して光ディスクＤに記録する場合の動作を説明する。まず、２値データを入力して、図１もしくは図８と図９を参照して説明したように、２ＫＢのユーザーデータ毎に、付加情報データ、ＥＤＣデータを付加する。又、ディスク識別データ、セクターアドレスデータ、アドレスＥＣＣデータを生成する。そして、図３もしくは図１０を参照して説明したように、６４セクター分のデータを１ワードが１１ビットのメモリ（誤り訂正用データ付加回路中のメモリであり、図示省略）に入力する。
【００６５】
その後、リードソロモン符号の演算により、ＰＯとＰＩデータを生成して、メモリに入力する。図４もしくは図１１を参照して説明したインターリーブの処理は、メモリから各行のデータを出力する時に、インターリーブの順序でＰＯデータを含む１行分のデータを出力すれば良い。
【００６６】
次に、多値化回路９で１１ビット単位の２値データを４シンボルの８値データに変換する。その後、同期信号付加回路８で、１行毎のデータに同期信号とアドレス検出用データとクロックマークを挿入する。その結果、図５又は図６、もしくは図１２又は図１３に示したデータが出力される。次に、多値データの各値に対応したマークを光ディスＤクに記録するために、変調回路７でレーザーを駆動する信号を生成する。そして、光ヘッド３によりマークが光ディスクＤに記録される。
【００６７】
次に、光ディスクＤから多値信号を読み出して、多値判定を行い、２値データとして出力する場合の動作を説明する。光ヘッド３により、一定強度のレーザー光を光ディスクＤに照射し、その反射光を光電変換して電気信号を得る。得られた信号を演算増幅回路４に入力し、サーボ回路５により光ディスクＤを安定して回転させ、光ヘッド３のトラッキングやフォーカス制御を行い、多値信号を再生する。再生された多値信号から、ＰＬＬおよび同期検出回路１２で同期信号を検出し、ＰＬＬ回路により多値データに同期したクロックを生成する。生成したクロックによってＡ／Ｄ変換回路１１で、多値データのデジタルデータを得る。その後、波形等化回路１３で波形等化を行い、多値判定回路１４で多値データを判定し、更に多値２値変換回路１６で判定した多値データを２値データに変換する。
【００６８】
そして、ＰＬＬおよび同期検出回路１２で検出した同期信号を使用して、アドレス検出用データ検出回路１５で各フレームのアドレス検出用データを検出する。検出したアドレス検出データの値によって、セクターアドレスもしくはアドレス情報を含むフレームである事を示す信号をセクターアドレス検出回路１７に出力する。
【００６９】
セクターアドレス検出回路１７では、セクターアドレスやアドレス情報が存在する行データのアドレスに関するデータを蓄積し、アドレスＥＣＣデータによる誤り訂正を行い、セクターアドレスを読取り、さらに、ＥＣＣブロックの先頭アドレスを検出して、誤り訂正回路１８への２値データ入力開始を示す信号を出力する。
【００７０】
誤り訂正回路１８では、１ワードが１１ビットのメモリ（誤り訂正回路中のメモリであり、図示省略）に、ＥＣＣブロックのデータを入力する。ＰＯデータ行がインターリーブされているので、インターリーブを戻すために、図３もしくは図１０に示すデータ構成となるようにアドレスを切換えて、データをメモリに入力する。その後、ＰＯ、ＰＩデータを使用して、誤りの検出と訂正を行い、訂正後の２値データを出力する。
【００７１】
以上説明した情報記録装置１によれば、アドレス検出用データを付加しているので、セクターアドレスの読取り処理が容易である。また、誤り訂正用データ付加回路１０で、前述の２番目に説明した情報記録方法で示したデータ処理を行い、４セクター単位に１個のセクターアドレスを付加しているので、データ構成の冗長度を低くできる。さらに、同期信号付加回路８で、図５又は図６、あるいは、図１２又は図１３に示したデータ構成にして、アドレス検出用データを４値記録にしているので、アドレスデータの検出の信頼性を高くできる。そのうえ、図６もしくは図１３に示したデータ構成の場合は、アドレス検出用データを２シンボル連続で同じ値にして、記録密度を少なくしているので、読取り時の誤り確率を低くでき、アドレスデータの検出の信頼性を高くできる。
【００７２】
また、前述の記録がされた情報記録媒体である本実施の形態の光ディスクＤでは、セクター単位のユーザーデータとセクターアドレスからなる情報にアドレス検出用データを付加しているので、セクターアドレスの読取り処理が容易である。また、４セクター単位に１個のセクターアドレスを付加しているので、データ構成の冗長度を低くできる。さらに、アドレス検出用データを４値記録にし、記録多値数を減らしているので、アドレスデータの検出の信頼性を高くできる。そのうえ、図６もしくは図１３に示したデータ構成にして、アドレス検出用データを２シンボル連続で同じ値にして、記録密度を少なくしているので、読取り時の誤り確率を低くでき、アドレスデータの検出の信頼性を高くできる。
【図面の簡単な説明】
【００７３】
【図１】２ＫＢのユーザーデータやそのアドレス等からなるセクターのデータ構成を示す説明図である。
【図２】セクターに含まれるデータの種類とそのバイト数を示す説明図である。
【図３】６４セクターのデータに対して、誤り訂正用のデータを付加したデータ構成（ＥＣＣブロック）を示す説明図である。
【図４】ＰＯの行をインターリーブした結果を示す説明図である。
【図５】図４に示したデータブロック（５３０ワード×２０８行）を多値データに変換し、光ディスクに記録する時のデータ構成の一例を示す説明図である。
【図６】図１以下を参照して説明した情報記録方法の変形例を説明する説明図である。
【図７】２ＫＢ単位のユーザーデータを含むセクターデータとセクター単位のアドレスを示すアドレス情報のデータの種類とその量を示す説明図である。
【図８】６ビット×１２行のデータを８ビット×９行に変換し、アドレスＥＣＣデータを使用して、誤り訂正を行う場合の説明図である。
【図９】セクターデータのデータ構成を示す説明図である。
【図１０】６４セクターのデータに対して、誤り訂正用のデータを付加したデータ構成（ＥＣＣブロック）を示す説明図である。
【図１１】ＰＯデータ行をインターリーブした結果を示す説明図である。
【図１２】図１１に示したデータブロック（４７６ワード×２１８行）を多値データに変換し、光ディスクに記録する時のデータ構成の一例を示す説明図である。
【図１３】図７以下を参照して説明した情報記録方法の変形例を説明する説明図である。
【図１４】本発明の一実施の形態である情報記録装置の構成を説明するブロック図である。
【符号の説明】
【００７４】
１  情報記録装置
Ｄ  情報記録媒体
【図１】
2005259306.tif 000003
【図２】
2005259306.tif 000004
【図３】
2005259306.tif 000005
【図４】
2005259306.tif 000006
【図５】
2005259306.tif 000007
【図６】
2005259306.tif 000008
【図７】
2005259306.tif 000009
【図８】
2005259306.tif 000010
【図９】
2005259306.tif 000011
【図１０】
2005259306.tif 000012
【図１１】
2005259306.tif 000013
【図１２】
2005259306.tif 000014
【図１３】
2005259306.tif 000015
【図１４】
2005259306.tif 000016